(57)【要約】【課題】本発明は、自動炊飯機の貯米庫に補充用の米を送る米貯蔵搬送装置を設けた自動炊飯装置で、米貯蔵搬送装置から貯米庫への米搬送で米が損傷することを少なくして、自動炊飯機で炊飯した米の食味を良くすることを課題とする。【解決手段】米貯蔵搬送装置１の貯米タンク３から自動炊飯機１０の貯米庫１１に米を搬送して補充する自動炊飯装置において、米貯蔵搬送装置１の貯米タンク３から自動炊飯機１０の貯米庫１１まで中空の搬送パイプ１７を連通し、この搬送パイプ１７に圧風を噴出するコンプレッサノズル５ａの噴気が搬送パイプ１７内で搬送方向に向けて流れるようにしたコンプレッサー連結部３９ａを設け、コンプレッサー５で貯米タンク３の米を吸引して貯米庫１１に搬送することを特徴とする自動炊飯装置とする。【選択図】図２
2017144033.tif 000002
【特許請求の範囲】
【請求項１】
米貯蔵搬送装置（１）の貯米タンク（３）から自動炊飯機（１０）の貯米庫（１１）に米を搬送して補充する自動炊飯装置において、
前記米貯蔵搬送装置（１）の前記貯米タンク（３）から前記自動炊飯機（１０）の前記貯米庫（１１）まで中空の搬送パイプ（１７）を連通し、この搬送パイプ（１７）に圧風を噴出するコンプレッサノズル（５ａ）の噴気が前記搬送パイプ（１７）内で搬送方向に向けて流れるようにしたコンプレッサー連結部（３９ａ）を設け、コンプレッサー（５）で前記貯米タンク（３）の米を吸引して前記貯米庫（１１）に搬送することを特徴とする自動炊飯装置。
【請求項２】
前記貯米タンク（３）内の最下部に前記搬送パイプ（１７）と連結する収集ケース（３８）を設け、該収集ケース（３８）から前記搬送パイプ（１７）を前記貯米タンク（３）の内壁に沿って立ち上げて配設したことを特徴とする請求項１に記載の自動炊飯装置。  
【請求項３】
前記搬送パイプ（１７）に連結するコンプレッサー連結部（３９ａ）に前記コンプレッサー（５）から圧風を送る送風管（３９）を前記貯米タンク（３）の外壁に沿って配設したことを特徴とする請求項２に記載の自動炊飯装置。
【発明の詳細な説明】
【技術分野】
【０００１】
本発明は、炊飯器に米を洗って供給する自動炊飯機を備えた自動炊飯装置に関する。
【背景技術】
【０００２】
自動炊飯機は、特開２００３−２１９９６１号公報に記載の如く、洗米器と貯米庫を備え、貯米庫から炊飯に必要な所定量の米を計量して洗米器に供給して洗米し、洗米後の米と水を炊飯器に供給して炊飯するようにしているが、貯米庫の容量は小さいために、別に設置する米貯蔵搬送装置から自動或いは手動で適時に貯米庫に米を補充して溜めるようにしている（特許文献１参照）。
【０００３】
そして、米の搬送供給は、自動炊飯機の貯米庫に設ける米検出センサが米不足を検出すると米貯蔵搬送装置の貯米タンクから貯米庫に通じるホースを通してブロワの送風で米を空気搬送するようにしている。
【先行技術文献】
【特許文献】
【０００４】
【特許文献１】特開２００３−２１９９６１号公報
【発明の概要】
【発明が解決しようとする課題】
【０００５】
前記の従来技術では、米貯蔵搬送装置の貯米タンクから自動炊飯機の貯米庫への米搬送が、ブロワによる空気搬送で行われていて、貯米タンクの繰出装置から繰出された米がブロワに吸引されて起風翼の回転で風と共にホース内を貯米庫に向けて送られているために、米がブロワの起風翼で損傷して自動炊飯機による炊飯米の食味を悪くしたり米に含まれる粉塵が起風翼に堆積してブロワが故障したりすることがあった。
【０００６】
本発明は、従来装置の上記課題に鑑みて、自動炊飯機の貯米庫に補充用の米を送る米貯蔵搬送装置を設けた自動炊飯装置で、米貯蔵搬送装置から貯米庫への米搬送で米が損傷することを少なくして、自動炊飯機で炊飯した米の食味を良くすることを目的とする。
【課題を解決するための手段】
【０００７】
上記本発明の課題は、次の技術手段により解決される。
【０００８】
請求項１に記載の発明は、米貯蔵搬送装置１の貯米タンク３から自動炊飯機１０の貯米庫１１に米を搬送して補充する自動炊飯装置において、米貯蔵搬送装置１の貯米タンク３から自動炊飯機１０の貯米庫１１まで中空の搬送パイプ１７を連通し、この搬送パイプ１７に圧風を噴出するコンプレッサノズル５ａの噴気が搬送パイプ１７内で搬送方向に向けて流れるようにしたコンプレッサー連結部３９ａを設け、コンプレッサー５で貯米タンク３の米を吸引して貯米庫１１に搬送することを特徴とする自動炊飯装置とする。
【０００９】
請求項２に記載の発明は、貯米タンク３内の最下部に搬送パイプ１７と連結する収集ケース３８を設け、該収集ケース３８から搬送パイプ１７を貯米タンク３の内壁に沿って立ち上げて配設したことを特徴とする請求項１に記載の自動炊飯装置とする。
【００１０】
請求項３に記載の発明は、搬送パイプ１７に連結するコンプレッサー連結部３９ａにコンプレッサー５から圧風を送る送風管３９を貯米タンク３の外壁に沿って配設したことを特徴とする請求項２に記載の自動炊飯装置とする。
【発明の効果】
【００１１】
請求項１に記載の発明で、米貯蔵搬送装置１の貯米タンク３から繰出される米は、搬送パイプ１７内のコンプレッサー連結部３９ａでコンプレッサー５から送られてコンプレッサノズル５ａから噴出される圧風の流れに伴って吸引されて自動炊飯機１０の貯米庫１１に空気搬送されるので、従来のブロワによる空気搬送のように米が起風翼で損傷されること無く貯米庫１１に補給され、自動炊飯機１０で食味を良く炊飯される。
【００１２】
請求項２に記載の発明で、請求項１の効果に加えて、搬送パイプ１７が貯米タンク３内で立ち上げて設けられるので、搬送パイプ１７がケース外に出ることなく、米貯蔵搬送装置１を出来るだけ小型化しながら貯米タンク３も米収容量を最大化することが出来る。
【００１３】
請求項３に記載の発明で、請求項２の効果に加えて、コンプレッサー連結部３９ａにコンプレッサー５から圧風を送る送風管３９の取付交換等のメンテナンスが、貯米タンク３に米を溜めたたままで楽に行える。
【図面の簡単な説明】
【００１４】
【図１】米貯蔵搬送装置と自動炊飯機を接続した自動炊飯装置の正面図
【図２】米貯蔵搬送装置の斜視図
【図３】貯米タンク内の収集ケースの斜視図
【図４】コンプレッサー連結部の断面図
【図５】米貯蔵搬送装置の右側面図
【図６】第一別実施例の米貯蔵搬送装置の側断面図
【図７】操作パネルの斜視図
【図８】繰出ケース内の斜視図
【図９】第二別実施例の米貯蔵搬送装置の側断面図
【図１０】第三別実施例の米貯蔵搬送装置の側断面図
【発明を実施するための形態】
【００１５】
以下、本発明の実施の形態を図面に基づいて説明する。
【００１６】
自動炊飯装置は、図１に示す如く、自動炊飯機１０と米貯蔵搬送装置１を搬送パイプ１７で連結した構成である。
【００１７】
米貯蔵搬送装置１は、図２に示す如く、フレーム１ａに前後パネル1ｂ，１ｃ、左右パネル１ｄ，１ｄを締結具（図示省略）により着脱可能に固定した箱体２で、上部に内奥底部に設ける収集ケース３８の底部に向けて内面をシュート状に形成した貯米タンク３を形成し、収集ケース３８から搬送パイプ１７を貯米タンク３の内壁に沿って立ち上げている。
【００１８】
収集ケース３８は、図３に示す如く、天板を前後に下り傾斜させて米が滑り落ちるように屋根状に形成したケースで貯米タンク３の四隅から集まる底板の下端位置に設け、側壁の前後左右に進入口３８ａを形成し、貯米タンク３に投入した米が底板を滑って進入口３８ａから収集ケース３８内に集まるようにしている。搬送パイプ１７の挿入端部は、進入口３８ａの上縁より少し低くして米が搬送パイプ１７に少しずつ入り込むようにしている。
【００１９】
搬送パイプ１７は、中空の柔軟性パイプで、入口側が収集ケース３８の屋根部を貫通して内部に通じ、出口側が自動炊飯機１０の貯米庫１１に通じている。
【００２０】
収集ケース３８上部で搬送パイプ１７にコンプレッサー連結部３９ａを連結している。コンプレッサー連結部３９ａは、図４に示す如く、コンプレッサー連結部３９ａの内部にはコンプレッサノズル５ａを上側に傾けて設け、コンプレッサノズル５ａから噴出する圧縮空気で搬送パイプ１７内に搬送方向に向かう空気の流れを作って収集ケース３８内の米を吸引して搬送するようにしている。
【００２１】
コンプレッサー５は、箱体２の内部で貯米タンク３のシュート状底板下部でフレーム１ａに搭載し、圧縮風の送風管３９を箱体２の後パネル１ｃを貫通して外側に沿わせ、再度内部に入ってコンプレッサー連結部３９ａのコンプレッサノズル５ａに連結している。
【００２２】
また、図５に示すようにコンプレッサー５と貯米タンク３のシュート状底板を硬質ゴム材の連結具４０で連結し、コンプレッサー５の駆動時振動が貯米タンク３のシュート状底板に伝わって米が収集ケース３８に滑り落ち易くしている。図５の実施例においては、送風管３９を箱体２の後パネル１ｃの内側に沿わせる構成としている。この構成においては、箱体２を狭い空間に配置する場合に適している。
【００２３】
箱体２の前パネル１ｂには着脱・開閉自在で、前記コンプレッサー５の吸気用の窓６ａを形成した前カバー６が設けられ、フレーム１ａ下部にはフレーム１ａ下部に設けた桟２２に沿って米貯蔵搬送装置１の底を開閉する底蓋７が設けられている。桟２２の前側左右は高さ調整用のアジャストボルト２３で、後側左右は移動用のキャスター２４で接地している。
【００２４】
貯米タンク３内のシュート状底板上には、残量が３０ｋｇ程度になると検出する米減少検出センサ２６を設け、米の残量が減少したことを検出し、自動補給の場合には自動を搬送を停止して手動搬送に切換える。
【００２５】
また、自動炊飯機１０の貯米庫１１の米残量が少なくなると、米貯蔵搬送装置１のコンプレッサー５を駆動して貯米タンク３から貯米庫１１に米を搬送するが、その際にコンプレッサー５を最大で駆動を開始しその後徐々に満杯まで送風を弱めることで、貯米庫１１での米の飛散を少なくする。
【００２６】
自動炊飯機１０はフレームに順次上方から貯米庫１１、計量器５０、洗米器５１、炊飯器５２を配置した構成であって、貯米庫１１を覆うケース５３には操作装置２０が取り付けられている。
【００２７】
また、貯米庫１１の上蓋１８上面には前記米貯蔵搬送装置１の搬送パイプ１７の送出口１９が連結されており、上蓋１８上面にはコンプレッサー５により送られた搬送空気を排出するフィルタ１８ａが設けられている。
【００２８】
搬送パイプ１７はゴムまたは樹脂からなる柔軟性と弾力性を有すホースであって、好ましくは導電性の静電気防止樹脂材料からなり、電気用ケーブル１６が搬送パイプ１７に並設して配索されている。
【００２９】
図６から図８は、第一別実施例で、米貯蔵搬送装置１の箱体２内部に設ける貯米タンク３の底部近くにフィルタ網２８を設け、最下部に繰出ケース３５を設けている。繰出ケース３５の上側にはシャッタモータ２９で回動するシャッタ軸３０を設け、このシャッタ軸３０に複数のブリッジ防止棒３１を放射状に起立固着し、二個のブリッジ防止棒３１の外周に円弧状のシャッタ３２を設けている。また、シャッタ３２が閉じ位置にあることを検出するシャッタセンサ３３を設け、繰出停止時にシャッタ３２が閉じ位置になるようにシャッタモータ２９の回転を制御する。ブリッジ防止棒３１はシャッタ軸３０が回転して落下中の米を掻き混ぜてブリッジ状に閉塞することを防ぐ。
【００３０】
繰出ケース３５の下部はコンプレッサー５の吐出口と搬送パイプ１７の取込み口を連結して、コンプレッサー５からの圧風で米を搬送パイプ１７内に吹き込むようにしている。
【００３１】
箱体２の前面上部には操作パネル３４を設け、この操作パネル３４に自動スイッチ３６と手動スイッチ３７とコンプレッサースイッチ４１と電源スイッチ４２を設けている。そして、自動スイッチ３６とコンプレッサースイッチ４１をオンすると、シャッタモータ２９が回転してシャッタ３２を横位置にして米を落下し、コンプレッサー５からの圧風で米が搬送パイプ１７内に送り出され、自動炊飯機１０の貯米タンク３に設ける満杯センサが満杯を検出するとシャッタ３２を上位置に回動して米の繰出しを停止し、やがてコンプレッサー５の駆動も停止する。自動スイッチ３６を押すとシャッタモータ２９が一回転して停止し、コンプレッサー５を所定時間駆動して停止する。
【００３２】
図９は、貯米タンク３の底部に側方から搬送パイプ１７Ａを連結する米貯蔵搬送装置の第二別実施例で、貯米タンク３下部のシュート状部に米を通さない網目を形成した網シャッタ４３を設け、その底部に繰出パイプ４５を直接繋ぎ、その出口に連結具４６で搬送パイプ１７Ａを連結している。網シャッタ４３の閉じ動作はシャッタセンサ４４で検出する。
【００３３】
この実施例では、網シャッタ４３を閉じると米が落下せずに搬送パイプ１７Ａ内の米が残らず排出されて掃除などのメンテナンスが不要となる。
【００３４】
図１０は、貯米タンク３から吸引パイプ５５で米を吸い出す米貯蔵搬送装置の第三別実施例で、吸引パイプ５５と搬送パイプ１７Ｂを、第一連結具４８と第一繋ぎパイプ５６と第二連結具４９と第二繋ぎパイプ５７と第三連結具５４で連結し、蓋５８を開け、第二連結具４９を第二繋ぎパイプ５７から外して、コンプレッサー５を駆動すると、搬送パイプ１７内の米が残らず排出されて掃除が必要なくなる。
【符号の説明】
【００３５】
１    米貯蔵搬送装置
３    貯米タンク
５    コンプレッサー
５ａ  コンプレッサノズル
１０  自動炊飯機
１１  貯米庫
１７  搬送パイプ
３８  収集ケース
３９  送風管
３９ａ  コンプレッサー連結部
【図１】
2017144033.tif 000003
【図２】
2017144033.tif 000004
【図３】
2017144033.tif 000005
【図４】
2017144033.tif 000006
【図５】
2017144033.tif 000007
【図６】
2017144033.tif 000008
【図７】
2017144033.tif 000009
【図８】
2017144033.tif 000010
【図９】
2017144033.tif 000011
【図１０】
2017144033.tif 000012